(57)【特許請求の範囲】
【請求項１】
少なくとも２つの制御温度で燃焼器を燃焼させて温水供給温度を切り換えることができると共に、温度センサにより所定箇所の温水温度を検知して該検知温度と所定温度とを比較することによって燃焼器の燃焼を停止させる機能を備えた暖房温水供給装置において、
制御温度が高温側から低温側に切り替わった後の所定時間の間は、前記温度センサで検知した前記温水温度と前記所定温度との比較を行なわず、所定時間が経過した後に、前記温度センサで検知した前記温水温度が前記所定温度を越えた時に燃焼器の燃焼を停止させることを特徴とする暖房温水供給装置。
【請求項２】
低温の温水が流れる箇所に設置された前記温度センサである低温側温度センサと、高温の温水が流れる箇所に設置された高温側温度センサとを備え、
制御温度が高温側から低温側へ切り替わった後の所定時間の間は、高温側温度センサの検知温度が所定温度を超えた時に燃焼器の燃焼を停止させ、
前記所定時間が経過した後は、高温側温度センサの検知温度及び低温側温度センサの検知温度のうち少なくとも一方の検知温度が、対応するそれぞれの所定温度を超えたときに燃焼器の燃焼を停止させるようにしたことを特徴とする、請求項１に記載の暖房温水供給装置。
【請求項３】
少なくとも２つの制御温度で燃焼器を燃焼させて温水供給温度を切り換えることができると共に、温度センサにより所定箇所の温水温度を検知して該検知温度と所定温度とを比較することによって燃焼器の燃焼を停止させる機能を備えた暖房温水供給装置において、
制御温度が高温側から低温側に切り替わった後の所定時間において用いられる燃焼停止のための前記所定温度は、前記所定時間経過後において用いられる燃焼停止のための前記所定温度よりも大きな値であることを特徴とする暖房温水供給装置。
【請求項４】
低温の温水が流れる箇所に設置された前記温度センサである低温側温度センサと、高温の温水が流れる箇所に設置された高温側温度センサとを備え、
制御温度が高温側から低温側へ切り替わった後の所定時間が経過した後は、高温側温度センサの検知温度が第１の所定温度を超えるか、低温側温度センサの検知温度が第２の所定温度を超えるかした場合に燃焼器の燃焼を停止させ、
前記所定時間の間は、高温側温度センサの検知温度が第１の所定温度とほぼ等しい所定温度を超えるか、低温側温度センサの検知温度が第２の所定温度よりも大きな値を持つ所定温度を超えるかした場合に燃焼器の燃焼を停止させるようにしたことを特徴とする、請求項３に記載の暖房温水供給装置。
【請求項５】
前記燃焼器の熱により通過する水を加熱する熱交換器と、前記熱交換器により加熱された温水を供給される温水利用機器とを備え、
前記温水利用機器が運転開始する際には、前記所定時間の間は前記燃焼器を高温側の制御温度で制御すると共に前記所定時間が経過した後は、前記燃焼器を低温側の制御温度で制御するようにした、請求項２又は４に記載の暖房温水供給装置。
【請求項６】
前記燃焼器の熱により通過する水を加熱する熱交換器と、前記熱交換器により加熱された高温の温水を供給される高温用の温水利用機器と、前記熱交換器により加熱された高温の温水に加水した低温の温水を供給される低温用の温水利用機器とを備え、
前記高温用の温水利用機器が運転されている場合には、前記燃焼器を高温側の制御温度で制御し、前記高温用の温水利用機器が運転されておらず、かつ、前記低温用の温水利用機器が運転開始する際には、前記所定時間の間は前記燃焼器を高温側の制御温度で制御すると共に前記所定時間が経過した後は、前記燃焼器を低温側の制御温度で制御するようにした請求項２又は４に記載の暖房温水供給装置において、
運転されていた前記高温側の温水利用機器が運転停止されたときに前記低温側の温水利用機器が運転を開始した場合には、前記燃焼器を直ちに低温側の制御温度で制御するようにした暖房温水供給装置。
【発明の詳細な説明】
【０００１】
【発明の属する技術分野】
本発明は、浴室暖房乾燥装置や床暖房装置、ファンヒータ等の温水利用機器に温水を供給するための暖房温水供給装置に関する。
【０００２】
【従来の技術】
（暖房温水供給装置の構成）
図１は暖房温水供給装置の構成を示す概略図である。１はガスを燃焼させて熱交換器２に流れる水又は温水（暖房用熱媒）を加熱するためのガスバーナ（燃焼器）である。熱交換器２の温水出口には高温水往き管３の一端が接続されており、高温水往き管３には、熱交換器２で加熱された高温の温水の温度を計測する出湯温度センサ（サーミスタ）４と、温水を出湯または停止する高温側熱動弁５とが設けられており、高温水往き管３の他端は高温水供給口６となっている。
【０００３】
熱交換器２の温水入口には暖房温水戻り管７の一端が接続されており、暖房温水戻り管７には、熱交換器２の温水入口へ戻る低温の温水の温度を計測する戻り湯温センサ（サーミスタ）８と、湯温変化による管内圧力の変動を吸収させるための膨張タンク９と、循環ポンプ１０とが設けられている。また、暖房温水戻り管７の循環ポンプ１０よりも下流側の位置からは、低温水往き管１１が分岐しており、低温水往き管１１には低温側熱動弁１２が設けられ、低温水往き管１１の他端は低温水供給口１３となっている。暖房温水戻り管７の他端からは高温水戻り管１４と低温水戻り管１５とが分岐しており、高温水戻り管１４の端には高温水回収口１６が設けられ、低温水戻り管１５の端には低温水回収口１７が設けられている。また、高温水往き管３の高温側熱動弁５よりも上流側の位置と暖房温水戻り管７の戻り湯温センサ８よりも上流側の位置との間には、バイパス管１８が接続されている。
【０００４】
しかして、上記機器接続口６と高温水回収口１６との間には、比較的高温の温水を必要とする温水利用機器が接続され、低温水供給口１３と低温水回収口１７との間には、比較的低温の温水を必要とする温水利用機器が接続される。これらの温水利用機器の種類は特に限定されるものではないが、以下の説明においては、高温側の温水利用機器として、浴室の天井や壁に設置されて浴室の暖房、換気、衣類の乾燥等を行なうことができる浴室暖房乾燥装置を機器接続口６と高温水回収口１６の間に接続し、低温側の温水利用機器として、複数枚の床暖房パネルを連結して床暖房を行なう床暖房装置を低温水供給口１３と低温水回収口１７の間に接続している場合を例にとって、従来方式の運転動作を説明する。
【０００５】
（浴室暖房乾燥装置と床暖房装置を運転する場合）
浴室暖房乾燥装置１９と床暖房装置２０の両装置を運転する場合には、循環ポンプ１０を運転開始し、高温側熱動弁５及び低温側熱動弁１２を開弁し、熱交換器２からの出湯温度（出湯温度センサ４の検知温度）が所定の高温設定温度Ｓh（例えば、約８０℃）となるようにガスバーナ１を燃焼制御（以下、高温制御という。）し、図１に矢印で示すような経路で温水を循環させる。すなわち、暖房温水戻り管７から熱交換器２内に入った低温の温水は熱交換器２で加熱され、熱交換器２で加熱された高温の温水は熱交換器２から高温水往き管３へと出湯される。熱交換器２から出湯された高温水は、高温水往き管３を流れ、バイパス管１８が分岐している箇所に達すると、バイパス管１８と浴室暖房乾燥装置１９側とに分岐して流れる。
【０００６】
浴室暖房乾燥装置１９内に流入した温水は、浴室暖房乾燥装置１９内を循環して浴室内の空気と熱交換する。温水と熱交換して加熱された空気は、温風として浴室内に吹き出され、浴室内の暖房等に供される。こうして浴室内の空気と熱交換して温度の下がった温水は、高温水戻り管１４を経て暖房温水戻り管７に流れ込む。一方、高温水往き管３からバイパス管１８へ流れ込んだ高温水は、バイパス管１８を経て、そのまま暖房温水戻り管７に流れ込んでいる。さらに、後述のように、床暖房装置２０から流出した低温水も、低温水回収口１７を経て暖房温水戻り管７に流れ込む。従って、暖房温水戻り管７には、浴室暖房乾燥装置１９を通過して温度の下がった温水と、床暖房装置２０を通過して温度の下がった温水とが回収されており、そこにバイパス管１８からの高温水が混合されることにより混合された温水の温度は、回収された温水の温度よりも高く、バイパス管１８から供給された高温水の温度よりも低くなる。この混合された温水（以下、低温水ということがある。）は、暖房温水戻り管７内を送られ、低温水往き管１１との分岐位置に達すると、低温水往き管１１と熱交換器２側とに分岐して流れる。低温水往き管１１へ流れた低温水は、床暖房装置２０の床暖房パネル内を循環して床暖房パネルを暖めた後、低温水戻り管１５を通って、前記のように暖房温水戻り管７内へ戻る。一方、熱交換器２側へ流れた低温水は、最初に述べたように熱交換器２で加熱されて高温水往き管３へと送られる。この結果、浴室暖房乾燥装置１９には、高温（例えば、８０℃程度）の温水が循環させられ、床暖房装置２０には、低温（例えば、６０℃程度）の温水が循環させられることになる。
【０００７】
（床暖房装置を単独運転する場合）
つぎに、浴室暖房乾燥装置１９を運転停止して床暖房装置２０を単独で運転している場合を説明する。この場合には、循環ポンプ１０を運転開始し、低温側熱動弁１２を開弁し、戻り湯温センサ８の検知温度が所定の低温設定温度Ｓl（例えば、約６０℃）となるようにガスバーナ１を燃焼制御（以下、低温制御という。）し、図２に矢印で示すような経路で温水を循環させる。すなわち、暖房温水戻り管７から熱交換器２内に入った低温の温水は熱交換器２で加熱され、熱交換器２で加熱された温水は熱交換器２から高温水往き管３へ出湯され、高温水往き管３を経てバイパス管１８に流れ、さらに暖房温水戻り管７に流れ込む。一方、床暖房装置２０から流出した温水も、低温水戻り管１５を経て暖房温水戻り管７に流れ込む。従って、暖房温水戻り管７では、床暖房装置２０を通過して温度の下がった温水と、バイパス管１８から供給された温水が混合される。ガスバーナ１は、この混合された温水の温度が上記のように低温設定温度Ｓlとなるように燃焼制御される。この混合された温水（低温水）は、低温水往き管１１との分岐位置に達すると、低温水往き管１１と熱交換器２側とに分岐して流れる。低温水往き管１１へ流れた低温水は、床暖房装置２０の床暖房パネル内を循環して床暖房パネルを暖めた後、低温水戻り管１５を通って、前記のように暖房温水戻り管７内へ戻る。一方、熱交換器２側へ流れた低温水は、最初に述べたように熱交換器２で加熱されて高温水往き管３へと送られる。この結果、床暖房装置２０には、低温（例えば、６０℃程度）の温水が循環させられることになる。
【０００８】
しかし、床暖房装置２０の単独運転を行う場合、戻り湯温センサ８の検知温度が所定の低温設定温度Ｓlとなるようにガスバーナ１を燃焼制御しているだけであると、運転開始時に床暖房装置２０が暖まるまでに時間が掛かり、使用感が悪くなる恐れがある。そのため、従来方式の暖房温水供給装置においては、図３に示すように、床暖房装置２０の単独運転開始時には、所定時間ｔの間は、出湯温度センサ４の検知温度Ｔhが所定の高温設定温度Ｓh（例えば、約８０℃）となるようにガスバーナ１を燃焼制御（以下、これをホットダッシュ制御という。）し、所定時間ｔが経過した後、戻り湯温センサ８の検知温度Ｔlが所定の低温設定温度Ｓlとなるようにガスバーナ１を燃焼させて通常低温制御し、床暖房パネルの温度が速やかに上昇するようにしている。
【０００９】
【発明が解決しようとする課題】
上記のような従来方式の暖房温水供給装置では、床暖房装置２０を単独で定常運転している場合、すなわち戻り湯温センサ８の検知温度Ｔlが低温設定温度Ｓlとなるように制御している場合には、戻り湯温センサ８の検知温度Ｔlが上限温度Ｓl＋αを超えるとガスバーナ１を燃焼停止させ、戻り湯温センサ８の検知温度Ｔlが下限温度Ｓl−βよりも下がるとガスバーナ１を再度点火するように燃焼制御される。
【００１０】
そのため、上記のように床暖房装置２０を単独運転する場合、暖房温水供給装置がホットダッシュ制御から通常低温制御に切り替わった直後には暖房温水戻り管７等の配管内に高温の温水が流れているため、戻り湯温センサ８の検知温度Ｔlが上限温度Ｓl＋αが超えており、そのためホットダッシュ制御から通常低温制御に切り替わった時点でガスバーナ１が消火し、戻り湯温センサ８の検知温度Ｔlが下限温度Ｓl−β以下に下がるまでガスバーナ１が燃焼しないことがあった。
【００１１】
この結果、ホットダッシュ制御により速やかに床暖房パネルの温度を上昇させようとしながら、却ってガスバーナ１の消火により床暖房パネルの温度上昇が遅れるという結果になっていた。
【００１２】
また、このような現象は、床暖房装置２０を単独運転してホットダッシュ制御を行う場合に限らない。ホットダッシュ制御を行わない暖房温水供給装置において、浴室暖房乾燥装置１９と床暖房装置２０を同時に運転している状態（あるいは、浴室暖房乾燥装置１９を単独で運転している状態）から床暖房装置２０の単独運転に切り替えた場合にも、制御温度が出湯温度センサ４による高温設定温度Ｓhから戻り湯温センサ８による低温設定温度Ｓlに切り替わるので、同様な現象が起きる。
【００１３】
本発明は上記のような技術的背景に鑑みてなされたものであり、その第１の目的とするところは、ホットダッシュ制御の機能を有する暖房温水供給装置において、低温の温水を利用する側の温水利用装置がホットダッシュ制御から通常低温制御に切り替わったときに暖房温水供給装置がバーナーの消火等によって温水温度が却って低下してしまうのを防止することにある。
【００１４】
また、本発明の第２の目的とするところは、ホットダッシュ制御が働かない場合に、高温の温水を利用する側の温水利用装置が運転状態から運転停止状態に切り替わったときに、バーナーの消火等によって温水温度が急に低下してしまうのを防止することにある。
【００１５】
【発明の開示】
本発明の請求項１にかかる暖房温水供給装置は、少なくとも２つの制御温度で燃焼器を燃焼させて温水供給温度を切り換えることができると共に、温度センサにより所定箇所の温水温度を検知して該検知温度と所定温度とを比較することによって燃焼器の燃焼を停止させる機能を備えた暖房温水供給装置において、制御温度が高温側から低温側に切り替わった後の所定時間の間は、前記温度センサで検知した前記温水温度と前記所定温度との比較を行なわず、所定時間が経過した後に、前記温度センサで検知した前記温水温度が前記所定温度を越えた時に燃焼器の燃焼を停止させることを特徴としている。
【００１６】
本発明の暖房温水供給装置は、少なくとも２つの制御温度で燃焼器を燃焼させて温水供給温度を切り換えることができるものであって、床暖房装置、浴室暖房乾燥装置、ファンヒータ等の複数台の温水利用機器を接続して各機器に温水を供給するものである。請求項１にいうように、高温側の制御温度から低温側の制御温度へ切り換わる場合としては、高温の温水を必要とする温水利用機器（例えば、浴室暖房乾燥装置）が運転停止されたような場合に限らず、例えば、１台の温水利用機器を運転する場合でも、急速暖房のため運転開始時に通常運転時の温水温度よりも高温の温水を供給することがあり、このような高温の温水が一時的に供給された後、通常運転に戻るような場合（例えば、ホットダッシュ制御と呼ばれる運転方式）も含まれる。
【００１７】
本発明の暖房温水供給装置によれば、高温側の制御温度から低温側の制御温度へ切り換わった後、所定時間の間は、温度センサで検知した温水温度と所定温度との比較を行なわないので、当該所定時間経過後に比べて所定時間の間は燃焼が停止しにくくなっている。従って、高温側の制御温度から低温側の制御温度に切り替わった直後で、高温側の制御温度で運転されていた時の高温水が配管内に残っている場合でも、燃焼停止が起こりにくくなり、暖房用の燃焼利用機器の場合では、燃焼停止によって暖房が停止して室温等が却って低下する不都合を解消することができる。
【００１８】
本発明の請求項３にかかる暖房温水供給装置は、少なくとも２つの制御温度で燃焼器を燃焼させて温水供給温度を切り換えることができると共に、温度センサにより所定箇所の温水温度を検知して該検知温度と所定温度とを比較することによって燃焼器の燃焼を停止させる機能を備えた暖房温水供給装置において、制御温度が高温側から低温側に切り替わった後の所定時間において用いられる燃焼停止のための前記所定温度が、前記所定時間経過後において用いられる燃焼停止のための前記所定温度よりも大きな値となるようにしている。
【００１９】
本発明の請求項２に記載の実施態様においては、低温の温水が流れる箇所に設置された前記温度センサである低温側温度センサと、高温の温水が流れる箇所に設置された高温側温度センサとを備え、制御温度が高温側から低温側へ切り替わった後の所定時間の間は、高温側温度センサの検知温度が所定温度を超えた時に燃焼器の燃焼を停止させ、前記所定時間が経過した後は、高温側温度センサの検知温度及び低温側温度センサの検知温度のうち少なくとも一方の検知温度が、対応するそれぞれの所定温度を超えたときに燃焼器の燃焼を停止させるようにしている。
【００２０】
請求項２の実施態様では、所定時間内では低温側温度センサの検知温度によって燃焼停止させないので、高温側の制御温度から低温側の制御温度に切り替わった際に低温側温度センサが高温水を検知することによって燃焼停止する恐れがない。しかも、この所定時間内でも、高温側温度センサの検知温度が所定温度を超えたときには燃焼器の燃焼を停止させるようにしているので、配管内の温水の沸騰を防止することができ、暖房温水供給装置を安全に運転させることができる。
【００２１】
本発明の請求項４に記載の実施態様においては、低温の温水が流れる箇所に設置された前記温度センサである低温側温度センサと、高温の温水が流れる箇所に設置された高温側温度センサとを備え、制御温度が高温側から低温側へ切り替わった後の所定時間が経過した後は、高温側温度センサの検知温度が第１の所定温度を超えるか、低温側温度センサの検知温度が第２の所定温度を超えるかした場合に燃焼器の燃焼を停止させ、前記所定時間の間は、高温側温度センサの検知温度が第１の所定温度とほぼ等しい所定温度を超えるか、低温側温度センサの検知温度が第２の所定温度よりも大きな値を持つ所定温度を超えるかした場合に燃焼器の燃焼を停止させるようにしている。
【００２２】
請求項４の実施態様では、所定時間内では低温側温度センサの検知温度と比較する所定温度の値を大きくして燃焼停止しにくくしているので、高温側の制御温度から低温側の制御温度に切り替わった際に低温側温度センサが高温水を検知することによって燃焼停止しにくくなる。しかも、この所定時間内でも、高温側温度センサの検知温度が所定温度を超えたときには燃焼器の燃焼を停止させるようにしているので、配管内の温水の沸騰を防止することができ、暖房温水供給装置を安全に運転させることができる。
【００２３】
【発明の実施の形態】
以下、本発明の実施形態を図面に基づいて説明する。本発明にかかる暖房温水供給装置の概略構成や温水の循環経路は、図１及び図２に示したのと同じであるので、冗長を避けるために重複した図面の呈示と再度の説明を省略し、図１及び図２で用いた符号を引用しながら本発明の実施形態を説明する。
【００２４】
（第１の実施形態）
図４及び図５は本発明の一実施形態であって、それぞれ図１及び図２に示したような構成を有するホットダッシュ制御の機能を備えた暖房温水供給装置において、制御部（マイクロプロセッサ及びメモリ）により実行される暖房燃焼停止処理と暖房燃焼開始（再開）処理の各制御手順を表している。まず、暖房温水供給装置が燃焼運転を開始した後、温水温度が上昇し過ぎたことを検知してガスバーナ１の燃焼を一時的に停止するまでの処理（燃焼停止処理）を説明する。暖房温水供給装置が燃焼運転を開始すると、まず、浴室暖房乾燥装置１９がオンになっていて図１のような高温制御を行なうのか、浴室暖房乾燥装置１９がオフになっていて図２のような低温制御を行なうのか、いずれの制御を行なうかによって処理が分岐する（ステップＳ１）。
【００２５】
暖房温水供給装置が図１のような高温制御を行なう場合（ステップＳ１でYESの場合）には、ガスバーナ１は出湯温度センサ４の検知温度Ｔhが高温設定温度Ｓh（例えば、約８０℃）となるように燃焼制御されており、出湯温度センサ４の検知温度Ｔhがその上限温度Ｓh＋α（例えば、α＝７℃）を超えていないか監視されている（ステップＳ２）。出湯温度センサ４の検知温度Ｔhが上限温度Ｓh＋αを超えると、遅延タイマを初期値にリセットした（ステップＳ３）後、ガスバーナ１の燃焼を停止させる（ステップＳ４）。
【００２６】
また、暖房温水供給装置が図２のような低温制御を行なう場合（ステップＳ２でNOの場合）には、暖房温水供給装置の運転開始から所定時間ｔの間は、ホットダッシュ制御を行なう。ここで、ホットダッシュ制御とは、図２のような経路で温水を循環させながら、出湯温度センサ４の検知温度Ｔhが高温設定温度Ｓhとなるように制御するものである。低温制御を開始してから所定時間ｔ内であって、暖房温水供給装置がまだホットダッシュ制御している場合（ステップＳ５において、YESの場合）には、床暖房装置２０に高温の温水が循環するので、床暖房パネルは急速に昇温される。また、ホットダッシュ制御中には、遅延タイマの値Ｎが初期値（例えば、Ｎ＝１００）に設定される（ステップＳ６）ので、遅延タイマは初期値に保持される。このホットダッシュ制御中においては、出湯温度センサ４の検知温度Ｔhがその上限温度Ｓh＋αを超えていないか監視されており（ステップＳ２）、出湯温度センサ４の検知温度が上限温度Ｓh＋αを超えると、遅延タイマを初期値にリセットした（ステップＳ３）後、ガスバーナ１の燃焼が停止させられる（ステップＳ４）。
【００２７】
ホットダッシュ制御開始後、所定時間ｔが経過すると、ホットダッシュ制御が終了する。従来方式であれば、ホットダッシュ制御が終了すると、ただちに制御温度と燃焼停止判定を通常低温制御に移行させ、戻り湯温センサ８による検知温度Ｔlが低温設定温度Ｓlとなるように燃焼制御すると共に、戻り湯温センサ８の検知温度Ｔlが上限温度Ｔl＋αを超えたときに燃焼停止させている。これに対し、ここで説明している実施形態では、次に説明するように、ホットダッシュ制御が終了すると、制御温度のみをただちに通常低温制御に移行させ、燃焼停止判定は所定時間遅延させてから通常低温制御に移行させている。
【００２８】
すなわち、当該実施形態では、ホットダッシュ制御が終了すると（ステップＳ５でNOの場合）、暖房温水供給装置は、戻り湯温センサ８の検知温度Ｔlが低温設定温度Ｓlとなるようにガスバーナ１を低温で燃焼制御する。ついで、遅延タイマの値がＮ＝０となってカウントアップしているか判定する（ステップＳ７）。ホットダッシュ制御が終了した時点では、遅延タイマの値Ｎは初期値に設定されているから、図４のフローの処理サイクル毎に遅延タイマの値Ｎが１ずつカウントダウン（デクリメント）されてゆく（ステップＳ８）。この遅延期間中においては、戻り湯温センサ８の検知温度Ｔlは監視されていないので、低温側の検知温度Ｔlが上限温度Ｓl＋αを超えていても従来方式のように燃焼停止することはない。しかし、出湯温度センサ４で検知されている高温側の検知温度Ｔhが、余熱等によって上限温度Ｓh＋αを超えた場合には（ステップＳ２）、ガスバーナ１の燃焼は停止させられる（ステップＳ３、Ｓ４）。
【００２９】
ホットダッシュ制御終了後、所定時間が経過して遅延タイマの値がＮ＝０となってカウントアップすると（ステップＳ７でYESの場合）、暖房温水供給装置は通常低温制御に完全に移行し、出湯温度センサ４の検知温度Ｔhがその上限温度Ｓh＋αを超えていないか（ステップＳ９）、更に、戻り湯温センサ８の検知温度Ｔlがその上限温度Ｓl＋αを超えていないか（ステップＳ１０）を監視する。そして、出湯温度センサ４の検知温度Ｔhがその上限温度Ｓh＋αを超えるか（ステップＳ９でYESの場合）、あるいは、戻り湯温センサ８の検知温度Ｔlがその上限温度Ｓl＋αを超えるか（ステップＳ１０でYESの場合）すると燃焼を停止する（ステップＳ３、Ｓ４）が、そうでない限り（ステップＳ９及びＳ１０がいずれもNOの場合）通常低温制御を続ける。
【００３０】
よって、この実施形態による暖房温水供給装置によれば、ホットダッシュ制御終了時に燃焼が停止してしまい、却って床暖房装置２０の昇温が妨げられるといった不都合を避けることができる。しかも、ホットダッシュ制御終了後の所定時間の間も高温側にある出湯温度センサ４の検知温度を監視して上限温度Ｓh＋αを超えた場合には燃焼停止させるようにしているので、配管内の温水の沸騰を防止することができ、安全性を損なうことなく快適な暖房制御を行なうことができる。
【００３１】
次に、暖房温水供給装置が燃焼停止した後、ガスバーナ１の燃焼を再開するまでの処理を図５により説明する。暖房温水供給装置が高温制御されている場合（ステップＳ１１でYESの場合）には、出湯温度センサ４の検知温度Ｔhが下限温度Ｓh−β（例えば、β＝７℃）を下回ったときにガスバーナ１の燃焼を開始する（ステップＳ１２、Ｓ１３）。また、暖房温水供給装置が低温制御で、ホットダッシュ制御中にも（ステップＳ１４でYESの場合）にも、出湯温度センサ４の検知温度Ｔhが下限温度Ｓh−β（例えば、β＝７℃）を下回ったときにガスバーナ１の燃焼を開始する（ステップＳ１２、Ｓ１３）。一方、低温制御中で、ホットダッシュ制御の期間が終了している場合には、戻り湯温センサ８の検知温度Ｔlが下限温度Ｓl−βを下回ったときにガスバーナ１の燃焼を開始する。
【００３２】
（第２の実施形態）
図６は本発明の別な実施形態による暖房温水供給装置における燃焼停止時の処理手順を示すフロー図である。この実施形態でも、高温制御中や、低温制御時でホットダッシュ制御中や、低温制御時でホットダッシュ制御後の遅延時間が経過した後の処理は、第１の実施形態の場合と同じである（ステップＳ１〜Ｓ７、Ｓ９〜Ｓ１０）。しかし、低温制御時でホットダッシュ制御終了直後の遅延時間の経過前においては、この実施形態では、出湯温度センサ４の検知温度Ｔhがその上限温度Ｓh＋αを超えていないか（ステップＳ２１）、更に、戻り湯温センサ８の検知温度Ｔlがその上限温度Ｓl＋γ（ここで、γ＞＞α）を超えていないか（ステップＳ２２）を監視する。そして、出湯温度センサ４の検知温度Ｔhがその上限温度Ｓh＋αを超えるか（ステップＳ２１でYESの場合）、あるいは、戻り湯温センサ８の検知温度Ｔlがその上限温度Ｓl＋γを超えるか（ステップＳ２２でYESの場合）すると燃焼を停止する（ステップＳ３、Ｓ４）。
【００３３】
この実施形態では、ステップダッシュ制御後の遅延時間が経過した後も（ステップＳ７でYESの場合）、出湯温度センサ４の検知温度Ｔhがその上限温度Ｓh＋αを超えていないか（ステップＳ９）、更に、戻り湯温センサ８の検知温度Ｔlがその上限温度Ｓl＋αを超えていないか（ステップＳ１０）を監視する。そして、出湯温度センサ４の検知温度Ｔhがその上限温度Ｓh＋αを超えるか（ステップＳ９でYESの場合）、あるいは、戻り湯温センサ８の検知温度Ｔlがその上限温度Ｓl＋αを超えるか（ステップＳ１０でYESの場合）すると燃焼を停止する（ステップＳ３、Ｓ４）。
【００３４】
この実施形態にあっては、上記のようにホットダッシュ制御後の遅延時間経過前においては、燃焼停止のための上限温度Ｓｌ＋γを遅延時間経過後における燃焼停止のための上限温度Ｓｌ＋αよりも十分に高い値に設定しているので、ホットダッシュ制御の終了直後に配管内に残っている高温水を戻り湯温センサ８が検知することによって燃焼停止しにくくなる。
【００３５】
（第３の実施形態）
図７は本発明のさらに別な実施形態による暖房温水供給装置における燃焼停止時の処理手順を示すフロー図である。この実施形態は、高温制御から低温制御に移行した場合には、低温制御におけるホットダッシュ制御を行わないようにし、しかも、その場合に配管内に残っている高温水を戻り湯温センサ８が検知してガスバーナ１が燃焼停止させられる不都合を防止できるようにしたものである。
【００３６】
この実施形態において、暖房温水供給装置が燃焼運転を開始した後、温水温度が上昇し過ぎたことを検知してガスバーナ１の燃焼を一時的に停止するまでの処理（燃焼停止処理）を説明する。暖房温水供給装置が燃焼運転を開始すると、まず、浴室暖房乾燥装置１９がオンになっていて図１のような高温制御を行なうのか、浴室暖房乾燥装置１９がオフになっていて図２のような低温制御を行なうのか、いずれの制御を行なうかによって処理が分岐する（ステップＳ１）。
【００３７】
暖房温水供給装置が図１のような高温制御を行なう場合（ステップＳ１でYESの場合）には、ガスバーナ１は出湯温度センサ４の検知温度Ｔhが高温設定温度Ｓh（例えば、約８０℃）となるように燃焼制御されており、出湯温度センサ４の検知温度Ｔhがその上限温度Ｓh＋α（例えば、α＝７℃）を超えていないか監視されている（ステップＳ２）。出湯温度センサ４の検知温度Ｔhが上限温度Ｓh＋αを超えると、遅延タイマを初期値にリセットした（ステップＳ３）後、ガスバーナ１の燃焼を停止させる（ステップＳ４）。
【００３８】
また、暖房温水供給装置が図２のような低温制御を行なう場合（ステップＳ２でNOの場合）には、高温制御から低温制御に移行したのか（即ち、浴室暖房乾燥装置１９がオンからオフになった場合）、低温制御で運転開始したのか（即ち、初めから床暖房装置２０が単独運転した場合）によって処理が異なる（ステップＳ３１）。低温制御で運転開始した場合（ステップＳ３１でNOの場合）には、暖房温水供給装置は、ホットダッシュ制御を経た後、通常低温制御で運転される（ステップＳ３６）。例えば、図４のステップＳ５以下のような処理が実行され、ホットダッシュ制御終了直後の燃焼停止が防止される。
【００３９】
一方、浴室暖房乾燥装置１９がオフになって高温制御から低温制御に切り替わった場合（ステップＳ３１でYESの場合であって、このとき、遅延タイマの値Ｎは初期値に設定されている〔ステップＳ３〕）には、制御温度のみをただちに通常低温制御に移行させ、燃焼停止判定は所定時間遅延させてから通常低温制御に移行させる。
【００４０】
すなわち、当該実施形態では、高温制御から低温制御に移行すると（ステップＳ３１でYESの場合）、暖房温水供給装置は、戻り湯温センサ８の検知温度Ｔlが低温設定温度Ｓlとなるようにガスバーナ１を低温で燃焼制御する。ついで、遅延タイマの値がＮ＝０となってカウントアップしているか判定する（ステップＳ３２）。低温制御に移行した時点では、遅延タイマの値Ｎは初期値に設定されているから、図７のフローの処理サイクル毎に遅延タイマの値Ｎが１ずつカウントダウンされてゆく（ステップＳ３３）。この遅延期間中においては、戻り湯温センサ８の検知温度Ｔlは監視されていないので、低温側の検知温度Ｔlが上限温度Ｓl＋αを超えていても燃焼停止することはない。しかし、出湯温度センサ４で検知されている高温側の検知温度Ｔhが、余熱等によって上限温度Ｓh＋αを超えた場合には（ステップＳ２）、ガスバーナ１の燃焼は停止させられる（ステップＳ３、Ｓ４）。
【００４１】
低温制御開始後、所定時間が経過して遅延タイマの値がＮ＝０となってカウントアップすると（ステップＳ３２でYESの場合）、暖房温水供給装置は通常低温制御に完全に移行し、出湯温度センサ４の検知温度Ｔhがその上限温度Ｓh＋αを超えていないか（ステップＳ３４）、更に、戻り湯温センサ８の検知温度Ｔlがその上限温度Ｓl＋αを超えていないか（ステップＳ３５）を監視する。そして、出湯温度センサ４の検知温度Ｔhがその上限温度Ｓh＋αを超えるか（ステップＳ３４でYESの場合）、あるいは、戻り湯温センサ８の検知温度Ｔlがその上限温度Ｓl＋αを超えるか（ステップＳ３５でYESの場合）すると燃焼を停止する（ステップＳ３、Ｓ４）が、そうでない限り（ステップＳ３４及びＳ３５がいずれもNOの場合）通常低温制御を続ける。
【００４２】
よって、この実施形態による暖房温水供給装置によれば、暖房温水供給装置が高温制御の状態から低温制御の状態に移行した直後に燃焼が停止してしまい、床暖房装置２０の昇温が妨げられるといった不都合を避けることができる。
【００４３】
なお、この実施形態では、初めから低温制御する場合には、初めにホットダッシュ制御するようにしているが、このようなホットダッシュ制御の機能を持たない暖房温水供給装置にも当該実施形態は適用可能である。
【００４４】
【発明の効果】
本発明の暖房温水供給装置によれば、高温側の制御温度から低温側の制御温度へ切り換わった後、所定時間の間は、前記燃焼停止機能を動作させるための条件を設けているので、当該所定時間経過後に比べて所定時間の間は燃焼が停止しにくくなっている。従って、高温側の制御温度から低温側の制御温度に切り替わった直後で、高温側の制御温度で運転されていた時の高温水が配管内に残っている場合でも、燃焼停止が起こりにくくなる。特に、暖房用の燃焼利用機器の場合では、燃焼停止によって暖房が停止して室温等が却って低下する不都合を解消することができ、快適な暖房を行なうことができる。
【図面の簡単な説明】
【図１】暖房温水供給装置の構成と、該暖房温水供給装置における高温制御時の温水の流れを示す概略図である。
【図２】同上の暖房温水供給装置における低温制御時の温水の流れを示す概略図である。
【図３】低温制御時のホットダッシュ制御を説明する図である。
【図４】本発明の一実施形態にかかる暖房温水供給装置における、燃焼停止処理時の制御手順を表したフロー図である。
【図５】同上の暖房温水供給装置における、暖房燃焼開始（再開）処理時の制御手順を表したフロー図である。
【図６】本発明の別な実施形態にかかる暖房温水供給装置における、燃焼停止処理時の制御手順を表したフロー図である。
【図７】本発明のさらに別な実施形態にかかる暖房温水供給装置における、燃焼停止処理時の制御手順を表したフロー図である。
【符号の説明】
１  ガスバーナ
２  熱交換器
３  高温水往き管
４  出湯温度センサ
７  暖房温水戻り管
８  戻り湯温センサ
１０  循環ポンプ
１１  低温水往き管
１４  高温水戻り管
１５  低温水戻り管
１８  バイパス管
１９  浴室暖房乾燥装置
２０  床暖房装置
【図１】
0003770181.tif 000002
【図２】
0003770181.tif 000003
【図３】
0003770181.tif 000004
【図４】
0003770181.tif 000005
【図５】
0003770181.tif 000006
【図６】
0003770181.tif 000007
【図７】
0003770181.tif 000008